(57)【要約】      （修正有）【課題】調湿、消臭機能に優れた快適快眠指向の枕を提供する。【解決手段】真珠核粒子及びガラス製ビースを多数混合して充填収納した柔軟性で、而も通気性を有する繊維素材製のブロック袋体２と、該ブロック袋体を複数並べて載置する外側発泡性マットと、この複数ブロック袋体及び前記外側発泡性マットとを収納する柔軟性で、而も通気性を有する繊維素材製の上側収納袋部１と、該上側収納袋部を載置すると共に、該上側収納袋部に向かって順次柔軟性が富む複数枚の内側発泡性マットを収納し、且つ前記上側収納袋部と面状ファスナーにて接合される通気性を有する繊維素材製の内側収納袋部とで成したことを特徴とする。【選択図】図２
0003171291.tif 000002
【実用新案登録請求の範囲】
【請求項１】
真珠核粒子及びガラス製ビースを多数混合して充填収納した柔軟性で、而も通気性を有する繊維素材製のブロック袋体と、該ブロック袋体を複数並べて載置する外側発泡性マットと、この複数ブロック袋体及び前記外側発泡性マットとを収納する柔軟性で、而も通気性を有する繊維素材製の上側収納袋部と、該上側収納袋部を載置すると共に、該上側収納袋部に向かって順次柔軟性が富む複数枚の内側発泡性マットを収納し、且つ前記上側収納袋部と面状ファスナーにて接合される通気性を有する繊維素材製の内側収納袋部とで成したことを特徴とする枕。
【請求項２】
真珠核粒子及びガラス製ビースを多数混合して充填収納した柔軟性で、而も通気性を有する繊維素材製のブロック袋体と、該ブロック袋体を複数並べて収納する柔軟性で、而も通気性を有する繊維素材製の上側収納袋部と、該上側収納袋部を載置すると共に、該上側収納袋部に向かって順次柔軟性が富む複数枚の内側発泡性マットを収納する内側収納袋部と、更に該内側収納袋部及び前記上側収納袋部を収納する通気性を有する繊維素材製の外側収納袋部とで成したことを特徴とする枕。
【請求項３】
前記繊維素材製の複数ブロック袋体は、真珠核粒子及びガラス製ビースと共に、更に多孔質焼成セラミック砕粒子とを多数混合して収納させたことを特徴とする請求項１〜２記載の何れか１記載の枕。
【請求項４】
前記内側収納袋部は、上面に上側収納袋部との間に介在する様、外側発泡性マットを位置させたことを特徴とする請求項１〜２記載の何れか１記載の枕。
【請求項５】
前記繊維素材製の外側収納袋部は、底壁、この底壁から立上がった四周壁、この四周壁に連なる左右折返片及び前後折返片から成り、而も内側収納袋部及び上側収納袋部を収納した状態にて夫々の左右折返片および前後折返片を折り返して重合し、且つ夫々に備えられた面状ファスナーにて結束したことを特徴とする請求項１〜２記載の何れか１記載
の枕。
【考案の詳細な説明】
【技術分野】
【０００１】
本孝案は調湿、消臭機能に優れた快適快眠指向の枕に関する。
【背景技術】
【０００２】
一般的に古くから枕製品の緩衝材となる充填材として綿、ソバカス等が用いられている。
また、これら自然素材に代え特許文献１に示す如く、合成樹脂繊維、チップ、更にポリエチレン製短小パイプ等を充填するものの普及も否定できない。
然しながら、自然素材、合成樹脂繊維の何れについても湿度の高い状態、或るいは低い状態（乾燥した状態）に対し、未だ満足できるものではなく、特に夏季の高湿度の睡眠は苦痛さえ感じ、枕が汗ばみ、数日間の使用でややもすると異臭さえ感じる。
【０００３】
そこで、吸放出性能所謂、調湿性能に優れた多孔質焼成セラミック砕粒子、特にそれらの中でも高性能の珪藻土が注目される所であり、枕内に収納することが、下記特許文献２によって明らかである。
然しながら、それら珪藻土の収納は、単に枕内全体に無造作に収納しており、頭部に鉱物である珪藻土の砕粒子が間接的ではあるが当たり、睡眠時間と共に、苦痛さえ感じることとなる。
勿論、その多孔質の機能を維持（ポーラス）する上で、粉末まで微粒子を追求できず、少なくとも数ｍｍ単位の粒径を要す。
また、形状は粉末であると枕の表面は球面状態を期待できず、弾力性のない扁平な形状となる。
【先行技術文献】
【特許文献】
【０００４】
【特許文献１】特開２００６−１２２５８４号
【特許文献２】特開平９−１９２１５８号
【考案の概要】
【考案が解決しようとする課題】
【０００５】
本孝案は、吸放出性能に優れた自然素材を柔軟性で、而も通気性を有する繊維素材製のブロック袋体に収納して、枕内の充填材として収納する上で、硬い自然素材が頭部を強く圧し、苦痛を与えることとなり、この点の課題を解決することとした。
【課題を解決するための手段】
【０００６】
本孝案は、真珠核粒子及びガラス製ビースを多数混合して充填収納した柔軟性で、而も通気性を有する繊維素材製のブロック袋体と、該ブロック袋体を複数並べて載置する外側発泡性マットと、この複数ブロック袋体及び前記外側発泡性マットとを収納する柔軟性で、而も通気性を有する繊維素材製の上側収納袋部と、該上側収納袋部を載置すると共に、該上側収納袋部に向かって順次柔軟性が富む複数枚の内側発泡性マットを収納し、且つ前記上側収納袋部と面状ファスナーにて接合される通気性を有する繊維素材製の内側収納袋部とで成したことを特徴とするものである。
更に本孝案は、真珠核粒子及びガラス製ビースを多数混合して充填収納した柔軟性で、而も通気性を有する繊維素材製のブロック袋体と、該ブロック袋体を複数並べて収納する柔軟性で、而も通気性を有する繊維素材製の上側収納袋部と、該上側収納袋部を載置すると共に、該上側収納袋部に向かって順次柔軟性が富む複数枚の内側発泡性マットを収納する内側収納袋部と、更に該内側収納袋部及び前記上側収納袋部を収納する通気性を有する繊維素材製の外側収納袋部とで成したことを特徴とするものである。
【０００７】
更に本孝案は、繊維素材製の複数ブロック袋体は、真珠核粒子及びガラス製ビースと共に、更に多孔質焼成セラミック砕粒子とを多数混合して収納させたものである。
【０００８】
また本孝案は、内側収納袋部は、上面に上側収納袋部との間に介在する様、外側発泡性マットを位置させてたことを特徴とするものである。
【０００９】
また本孝案は、繊維素材製の外側収納袋部は、底壁、この底壁から立上がった四周壁、この四周壁に連なる左右折返片及び前後折返片から成り、而も内側収納袋部及び上側収納袋部を収納した状態にて夫々の左右折返片及び前後折返片を折り返して重合し、且つ夫々に備えられた面状ファスナーにて結束したことを特徴とするものである。
【考案の効果】
【００１０】
（１）請求項１により、睡眠時に頭部は柔軟性で、而も通気性を有する繊維素材製のブロック袋体に接し、且つ内部の真珠核粒子及びガラス製ビースが適宜多数混合して充填されているから、従来の様に硬い鉱物である多孔質焼成セラミック砕粒子を単に全量収納しているものに比し、頭部に苦痛を与えることはない。
更に、ブロック袋体は、通気性を有する繊維素材製の上側収納袋部に収納され、且つ該上側収納袋部は、上側収納袋部に向かって順次柔軟性が富む複数枚の内側発泡性マットに載置されているから、特に頭部に近くになる程、柔軟性に富むこととなって、逐次和らげ、それらマットを介して真珠核粒子及びガラス製ビースのブロック袋体がより一層
優しく頭部を受けることとなる。
【００１１】
（２）また、頭部からの寝汗は通気性を有する繊維素材製の上側収納袋部及びブロック袋体を介して内部の多孔質性の真珠核粒子に吸収され、快適性を維持すると共に、湿度が極端に低くなった所謂、冬季の乾燥時は、頭部に対し適宜な放湿を行い癒しとなって快適快眠に繋がる。
【００１２】
（３）更に、ブロック袋体は複数並べられて収納されているので、例えば寝返りによって頭部が中央より多少左右にずれた場合においても、内部の真珠核粒子及びガラス製ビースは各々のブロック袋体にて止まり、一方に片寄って頭部に不快感を与えることはない。
【００１３】
（４）請求２により、内側収納袋部及び上側収納袋部は外側収納袋部に収納されているので、各々が一つの纏まった枕となる。
（５）請求項３により、真珠核粒子は多孔質のため、夏季における発汗については吸収され、快適性を維持すると共に、湿度が極端に低くなった所謂、冬季の乾燥時は、頭部に対し適宜な放湿を行い癒しとなって快適快眠に繋がる。
【００１４】
（６）請求項４により、内側収納袋部は、上面に上側収納袋部との間に介在する様、外側発泡性マットを位置させたから、首筋を部分的に接圧し、寝心地が良い。
【００１５】
（７）請求項５により、外側収納袋部は、内側収納袋部及び上側収納袋部を収納した状態にて夫々の左右折返片および前後折返片を折り返して重合し、且つ夫々に備えられた面状ファスナーにて結束するので、内側収納袋部及び上側収納袋部は外側収納袋部に整然と収納され、寝返り等で、内側収納袋部及び上側収納袋部がバラけることもなく、且つ洗濯時においても容易に取り出し、収納ができる。
【図面の簡単な説明】
【００１６】
【図１】本孝案枕の使用状態を示す斜視図
【図２】同上の平面図
【図３】同上の分解斜視図
【図４】図２の拡大横断面図
【図５】ブロック袋体の拡大部分断面図
【考案を実施するための形態】
【００１７】
以下本孝案を実施例として掲げた図面に基づいて説明すると、図１は枕本体Ａ及び頭部Ｈが接する上側収納袋部１を示している。
この上側収納袋部１は、図２に示す如く複数個の柔軟性で、而も通気性を有する繊維素材製のブロック袋体２を収納している。
而して、このブロック袋体２には図４に示す如く、真珠核粒子３及びガラス製ビース４を多数混合して多数混合して充填収納している。
この真珠核粒子３は、約５mm、ガラス製ビース４は約４mmであって、更に必要に応じ、多孔質焼成セラミック砕粒子５を多数混合する。
勿論、この多孔質焼成セラミック砕粒子５は、焼成によって、任意の粒径に形成する。
【００１８】
上側収納袋部１は、ブロック袋体２を収納、更に特性劣化のため取り替えるため開口部６、及び開閉塞用ファスナー７を備えている。
この上側収納袋部１の上面１ａには全長に亘って開口部６の両側に面状ファスナー８を備えている。
この上側収納袋部１を載置する様、下側には複数枚のポリウレタン、スポンジ等の柔軟性が富む複数枚の外側発泡性マット９、１０が位置しており、上側収納袋部１に接する上部位置の上側発泡性マット９の巾Ｓが下部位置の外側発泡性マット１０の巾Ｒより小巾となっており、上側収納袋部１に局部的に接し、首筋を部分的に接圧する。
【００１９】
勿論、複数ブロック袋体２を外側発泡性マット９、１０に載置する状態にて上側収納袋部１に収納してもよい。
【００２０】
而して、外側発泡性マット９，１０の下部には上側収納袋部１に向かって順次柔軟性が富む複数枚の内側発泡性マット１１、１２、１３を収納する通気性を有する繊維素材製の内側収納袋部１４が位置している。
具体的には底壁１５、この底壁１５の四周に連なる左右折返片１６及び前後折返片１７から成り、而も内側発泡性マット１１、１２、１３を収納した状態にて夫々の左右折返片１６及び前後折返片１７を折り返して重合し、且つ夫々に備えられた面状ファスナー１８にて結束する。また、底壁１５には２本の面状ファスナー１９を備えており、上側収納袋部１の面状ファスナー８と接合する様、上側収納袋部１を上下逆にして結合一体化して使用してもよい。
【００２１】
更に、この内側収納袋部１４、上側収納袋部１、外側発泡性マット９，１０は、通気性を有する繊維素材製の外側収納袋部２０に収納される。
この外側収納袋部２０は、内側収納袋部１４と同様に、底壁２１、この底壁２１から立上がった四周壁２２、この四周壁２２に連なる左右折返片２３及び前後折返片２４から成り、而も内側収納袋部１及び上側収納袋部１４を収納した状態にて夫々の左右折返片２３及び前後折返片２４を折り返して重合し、且つ夫々に備えられた面状ファスナー２５にて結束する。
【００２２】
勿論、上記に述べた様に、上側収納袋部１を上下逆にして結合一体化して使用し、この外側収納袋部２０を用いない場合もある。
【符号の説明】
【００２３】
Ａ    枕本体
Ｈ    頭部
１    上側収納袋部
２    ブロック袋体
３    真珠核粒子
４    ガラス製ビース
５    多孔質焼成セラミック砕粒子
９    外側発泡性マット
１０  外側発泡性マット
１１  内側発泡性マット
１２  内側発泡性マット
１３  内側発泡性マット
１４  内側収納袋部      
２０  外側収納袋部
【図１】
0003171291.tif 000003
【図２】
0003171291.tif 000004
【図３】
0003171291.tif 000005
【図４】
0003171291.tif 000006
【図５】
0003171291.tif 000007